(57)【要約】【課題】移動体で移動中であっても感染に関する地点または地域などを速やかにユーザに知らせることができる移動体用ナビゲーション装置を提供する。【解決手段】外部からの通信データを受信する通信部２３と、地図データを取得する地図情報取得部２１と、通信部で受信された通信データから表示、案内、探索または検索動作の要否を判断する情報判断部２４と、情報判断部から表示動作が必要である旨が通知された場合に、地図情報取得部からの地図データに基づいて感染に関わる地点または地域を表す地図またはメッセージを生成する感染情報表示部２５と、地図情報取得部で取得された地図データに基づいて作成した地図上に感染情報表示部からの地図またはメッセージを重畳して表示させる地図表示部２６を備えている。【選択図】図２
2011089921.tif 000002
【特許請求の範囲】
【請求項１】
外部からの通信データを受信する通信部と、
地図データを取得する地図情報取得部と、
前記通信部で受信された通信データから表示、案内、探索または検索動作の要否を判断する情報判断部と、
前記情報判断部から表示動作が必要である旨が通知された場合に、前記地図情報取得部からの地図データに基づいて感染に関わる地点または地域を表す地図またはメッセージを生成する感染情報表示部と、
前記地図情報取得部で取得された地図データに基づいて作成した地図上に前記感染情報表示部からの地図またはメッセージを重畳して表示させる地図表示部
とを備えた移動体用ナビゲーション装置。
【請求項２】
外部からの通信データを受信する通信部と、
地図データを取得する地図情報取得部と、
前記通信部で受信された通信データから表示、案内、探索または検索動作の要否を判断する情報判断部と、
前記情報判断部から案内動作が必要である旨が通知された場合に、前記地図情報取得部からの地図データに基づいて感染に関わる地点または地域を音声またはメッセージ表示で知らせる感染注意案内データを生成する感染注意案内部と、
前記感染注意案内部から感染注意案内データが送られてきた場合に、該感染注意案内データによって示される地点または地域を表示させるとともに、音声で出力させる案内部
とを備えた移動体用ナビゲーション装置。
【請求項３】
外部からの通信データを受信する通信部と、
地図データを取得する地図情報取得部と、
前記通信部で受信された通信データから表示、案内、探索または検索動作の要否を判断する情報判断部と、
前記情報判断部から探索動作が必要である旨が通知された場合に、前記地図情報取得部からの地図データに基づいて感染に関わる地点または地域を通過する経路であることを判定した場合は、該地点または地域を避けた経路を探索する感染地域探索部と、
前記感染地域探索部で探索された経路を表示させる探索部
とを備えた移動体用ナビゲーション装置。
【請求項４】
外部からの通信データを受信する通信部と、
地図データを取得する地図情報取得部と、
前記通信部で受信された通信データから表示、案内、探索または検索動作の要否を判断する情報判断部と、
前記情報判断部から検索動作が必要である旨が通知された場合に、前記地図情報取得部からの地図データに基づいて感染に関わる地点または地域を検索する感染情報検索部と、
前記感染情報検索部で検索された経路を表示させる検索部
とを備えた移動体用ナビゲーション装置。
【請求項５】
外部からの通信データを受信する通信部と、
地図データを取得する地図情報取得部と、
前記通信部で受信された通信データから表示、案内、探索または検索動作の要否を判断する情報判断部と、
前記情報判断部から表示動作が必要である旨が通知された場合に、前記地図情報取得部からの地図データに基づいて感染に関わる地点または地域を表す地図またはメッセージを生成する感染情報表示部と、
前記地図情報取得部で取得された地図データに基づいて作成した地図上に前記感染情報表示部からの地図またはメッセージを重畳して表示させる地図表示部と、
前記情報判断部から案内動作が必要である旨が通知された場合に、前記地図情報取得部からの地図データに基づいて感染に関わる地点または地域を音声またはメッセージ表示で知らせる感染注意案内データを生成する感染注意案内部と、
前記感染注意案内部から感染注意案内データが送られてきた場合に、該感染注意案内データによって示される地点または地域を表示させるとともに、音声で出力させる案内部と、
前記情報判断部から探索動作が必要である旨が通知された場合に、前記地図情報取得部からの地図データに基づいて感染に関わる地点または地域を通過する経路であることを判定した場合は、該地点または地域を避けた経路を探索する感染地域探索部と、
前記感染地域探索部で探索された経路を表示させる探索部と、
前記情報判断部から検索動作が必要である旨が通知された場合に、前記地図情報取得部からの地図データに基づいて感染に関わる地点または地域を検索する感染情報検索部と、
前記感染情報検索部で検索された経路を表示させる検索部
とを備えた移動体用ナビゲーション装置。
【請求項６】
情報判断部は、表示、案内、探索または検索動作の要否を、通信部で受信された通信データによって示される感染情報の有無および注意レベルとに基づき判断する
ことを特徴とする請求項１から請求項５のうちのいずれか１項記載の移動体用ナビゲーション装置。
【請求項７】
前記感染に関わる地点は、感染が発生している施設、当該感染病を扱う医療機関、感染要注意施設、休業または閉鎖した施設、あるいは、検問箇所、医療器具を入手可能な施設を含む
ことを特徴とする請求項１から請求項５のうちのいずれか１項記載の移動体用ナビゲーション装置。
【請求項８】
案内部は、探索経路付近に感染した地点または地域がある場合に注意案内を行う
ことを特徴とする請求項２または請求項５記載の移動体用ナビゲーション装置。
【請求項９】
案内部は、感染した地点または地域の近くに到達した場合に注意案内を行う
ことを特徴とする請求項２または請求項５記載の移動体用ナビゲーション装置。
【請求項１０】
案内部は、道路外で停車した場合に感染予防案内を行う
ことを特徴とする請求項２または請求項５記載の移動体用ナビゲーション装置。
【請求項１１】
案内部は、所定地点に到着した場合に、感染予防案内を行う
ことを特徴とする請求項２または請求項５記載の移動体用ナビゲーション装置。
【請求項１２】
感染病の種類、感染地域、感染地点または関連施設を含む感染に関わる情報を逐次入手して編集する感染情報編集部と、
感染情報編集部から送られてくる感染情報に基づき、感染地点または感染地域を予測する予測部と、
前記感染情報編集部から送られてくる感染情報と、前記予測部から送られてくる感染予測地点および感染予測地域とを外部に送信する通信部
とを備えたサーバ。
【請求項１３】
移動体用ナビゲーション装置とサーバとを備えた情報提供システムであって、
前記サーバは、
感染病の種類、感染地域、感染地点または関連施設を含む感染に関わる情報を逐次入手して編集する感染情報編集部と、
感染情報編集部から送られてくる感染情報に基づき、感染地点または感染地域を予測する予測部と、
前記感染情報編集部から送られてくる感染情報と、前記予測部から送られてくる感染予測地点および感染予測地域とを前記移動体用ナビゲーション装置に送信する送信部
とを備え、
前記移動体用ナビゲーション装置は、
サーバからの通信データを受信する受信部と、
地図データを取得する地図情報取得部と、
前記受信部で受信された通信データから表示、案内、探索または検索動作の要否を判断する情報判断部と、
前記情報判断部から表示動作が必要である旨が通知された場合に、前記地図情報取得部からの地図データに基づいて感染に関わる地点または地域を表す地図またはメッセージを生成する感染情報表示部と、
前記地図情報取得部で取得された地図データに基づいて作成した地図上に前記感染情報表示部からの地図またはメッセージを重畳して表示させる地図表示部
とを備えた
情報提供システム。
【発明の詳細な説明】
【技術分野】
【０００１】
この発明は、移動体用ナビゲーション装置、サーバおよびこれらを用いた情報提供システムに関し、特に感染情報を報知する技術に関する。
【背景技術】
【０００２】
近年、インフルエンザの流行に伴い、感染地域などの感染情報が報道されている。このような現状においては、車両で移動中であっても、時々刻々と変化する感染情報を入手して感染を予防したり、感染した場合は、速やかに当該感染病を扱う医療機関で受診したりすることが望まれる。
【０００３】
感染病に関連する技術として、例えば特許文献１は、感染症の疫学的な分析に好適な、地域毎に感染症の時系列的な広がり方または複数要因からなる感染症の発生を、患者や生活環境などの要因毎に層別することによって感染のメカニズムを分析および特定するのに最適なシステムを開示している。このシステムは、地図情報データベースを元に表示される地図上に、感染症患者の位置情報に基づいた情報を合成表示するために、感染症患者の属性に感染症患者の位置情報を合わせて感染症情報センタに送付する。感染症の感染経路を特定するために、感染状況を地域の地図と関連させて表示する。また、感染症の疫学的な分析を行うために、感染経路となりうる交通機関、河川などの地形、流通経路と感染症患者の位置を合成表示する。さらに、感染症に係る要因として患者の年齢、性別、体格、既往症などが考えられる場合に、それらの項目によって感染症患者のデータを層別して地図情報と合成表示する。そして、仮説を設定し、実証し、感染経路を特定していく。
【先行技術文献】
【特許文献】
【０００４】
【特許文献１】国際公開第２００２／０６１６４７号
【発明の概要】
【発明が解決しようとする課題】
【０００５】
上述した特許文献１に開示されているように、地図上に地域毎の感染症の時系列的な広がり方を合成表示する方法が知られているが、この方法は、感染経路を特定していくことが目的であり、例えば車両で移動中に感染を予防できないという問題がある。
【０００６】
この発明は、上述した問題を解消するためになされたものであり、その課題は、移動体で移動中であっても感染に関する地点または地域などを速やかにユーザに知らせることができる移動体用ナビゲーション装置、サーバおよびこれらを用いた情報提供システムを提供することにある。
【課題を解決するための手段】
【０００７】
この発明に係る移動体用ナビゲーション装置は、外部からの通信データを受信する通信部と、地図データを取得する地図情報取得部と、通信部で受信された通信データから表示、案内、探索または検索動作の要否を判断する情報判断部と、情報判断部から表示動作が必要である旨が通知された場合に、地図情報取得部からの地図データに基づいて感染に関わる地点または地域を表す地図またはメッセージを生成する感染情報表示部と、地図情報取得部で取得された地図データに基づいて作成した地図上に感染情報表示部からの地図またはメッセージを重畳して表示させる地図表示部を備えている。
【発明の効果】
【０００８】
この発明に係る移動体用ナビゲーション装置によれば、外部から受信された通信データから表示、案内、探索または検索動作の要否を判断し、表示動作が必要である場合は、感染に関わる地点または地域を表す地図またはメッセージを地図上に重畳して表示させるように構成したので、移動体で移動中であっても外部からの感染情報を受信し、感染に関わる地点や地域について表示によってユーザに速やかに知らせることができる。その結果、感染予防または感染時の速やかな医療機関での受診が可能になる。
【図面の簡単な説明】
【０００９】
【図１】この発明の実施の形態１に係る移動体用ナビゲーション装置のハードウェア構成を示すブロック図である。
【図２】この発明の実施の形態１に係る移動体用ナビゲーション装置のＥＣＵの機能的な構成を示すブロック図である。
【図３】この発明の実施の形態１に係る移動体用ナビゲーション装置が適用された情報提供システムにおいてサーバから送信される通信データの例を示す図である。
【図４】この発明の実施の形態１に係る移動体用ナビゲーション装置の動作を示すフローチャートである。
【図５】この発明の実施の形態１に係る移動体用ナビゲーション装置に情報判断部で行われる判断を説明するための図である。
【図６】この発明の実施の形態１に係る移動体用ナビゲーション装置において、感染地域が地図上に表示された例を示す図である。
【図７】この発明の実施の形態１に係る移動体用ナビゲーション装置において、感染施設（感染地点）が地図上に表示された例を示す図である。
【図８】この発明の実施の形態１に係る移動体用ナビゲーション装置において表示される感染地域を通る経路の案内例を示す図である。
【図９】この発明の実施の形態１に係る移動体用ナビゲーション装置において表示される感染地域に近づいた時の案内例を示す図である。
【図１０】この発明の実施の形態１に係る移動体用ナビゲーション装置において表示される自宅到着時の案内例を示す図である。
【図１１】この発明の実施の形態１に係る移動体用ナビゲーション装置において表示される駐車時の案内例を示す図である。
【図１２】この発明の実施の形態１に係る移動体用ナビゲーション装置において表示される感染地域を回避する探索例を示す図である。
【図１３】この発明の実施の形態１に係る移動体用ナビゲーション装置において表示される感染施設検索の例を示す図である。
【図１４】この発明の実施の形態１に係る移動体用ナビゲーション装置において表示される感染施設検索で感染施設が選択された場合の例を示す図である。
【図１５】この発明の実施の形態１に係る移動体用ナビゲーション装置において表示される感染施設検索で発熱外来が選択された場合の例を示す図である。
【図１６】この発明の実施の形態１に係る移動体用ナビゲーション装置において表示される感染施設検索で感染要注意施設が選択された場合の例を示す図である。
【図１７】この発明の実施の形態１に係る移動体用ナビゲーション装置において表示される感染施設検索で感染地域が選択された場合の例を示す図である。
【図１８】この発明の実施の形態１に係る移動体用ナビゲーション装置において表示される感染施設検索で感染地点が選択された場合の例を示す図である。
【図１９】この発明の実施の形態１に係る移動体用ナビゲーション装置において表示される感染施設検索で休業／閉鎖施設が選択された場合の例を示す図である。
【図２０】この発明の実施の形態１に係る移動体用ナビゲーション装置において表示される感染施設検索で検問が選択された場合の例を示す図である。
【図２１】この発明の実施の形態１に係る移動体用ナビゲーション装置において表示される感染施設検索で医療器具入手可能施設が選択された場合の例を示す図である。
【図２２】この発明の実施の形態１に係る移動体用ナビゲーション装置において表示される感染施設検索で感染情報が選択された場合の例を示す図である。
【図２３】この発明の実施の形態１に係る移動体用ナビゲーション装置における感染情報を取り込むための画面の例を示す図である。
【発明を実施するための形態】
【００１０】
以下、この発明の実施の形態を、図面を参照しながら詳細に説明する。
実施の形態１．
図１は、この発明の実施の形態１に係る移動体用ナビゲーション装置のハードウェア構成を示すブロック図である。この移動体用ナビゲーション装置は、ドライブ１、ＧＰＳ（Global Positioning System）受信機２、ジャイロ３、車速センサ４、操作部５、通信機器（携帯電話）６、インタフェース回路７、ＥＣＵ（Electronic Control Unit；電子制御装置）８、メモリ９、ディスプレイ１０およびスピーカ１１を備えている。
【００１１】
ドライブ１は、記録媒体１ａに記憶されている地図データを読み出し、インタフェース回路７を介してＥＣＵ８に送る。記録媒体１ａとしては、例えばＤＶＤ（Digital Versatile Disk）またはハードディスク（Hard disk）などを用いることができる。
【００１２】
ＧＰＳ受信機２は、当該移動体用ナビゲーション装置が搭載された車両の現在位置を検出する。このＧＰＳ受信機２で検出された現在位置（絶対位置および絶対方位を含む）は、絶対位置データとして、インタフェース回路７を介してＥＣＵ８に送られる。ジャイロ３は、車両の旋回時の角速度を検出する。このジャイロ３で検出された角速度は、角速度データとして、インタフェース回路７を介してＥＣＵ８に送られる。車速センサ４は、車両が所定距離走行する毎に送られてくる車速信号に基づき、該車両の移動速度を検出する。この車速センサ４で検出された移動速度は、速度データとして、インタフェース回路７を介してＥＣＵ８に送られる。
【００１３】
操作部５は、ユーザの操作を受付けるためのリモートコントローラ、ボタンまたはタッチパネルなどから構成されている。この操作部５が操作されることによって発生された情報は、操作データとして、インタフェース回路７を介してＥＣＵ８に送られる。
【００１４】
通信機器６は、例えば携帯電話から構成されており、外部（具体的には、後述するサーバ４０）との間でデータ通信を行うために使用される。すなわち、通信機器６は、外部から通信データを受信し、インタフェース回路７を介してＥＣＵ８に送るとともに、ＥＣＵ８からインタフェース回路７を介して送られてくる通信データを外部に送信する。
【００１５】
インタフェース回路７は、ドライブ１から読み出された地図データ、ＧＰＳ受信機２から送られてきた絶対位置データ、ジャイロ３から送られてきた角速度データ、車速センサ４から送られてきた速度データおよび操作部５から送られてきた操作データをＥＣＵ８に送るための制御を行う。また、インタフェース回路７は、ＥＣＵ８と通信機器６との間のデータの送受を制御する。
【００１６】
ＥＣＵ８は、例えばマイクロコンピュータから構成されており、インタフェース回路７から送られてくる地図データ、絶対位置データ、角速度データ、速度データ、通信データおよび操作データを受け取ってメモリ９に書き込むとともに、これらのデータをメモリ９から読み出し、この読み出したデータを用いて各種処理を実行する。このＥＣＵ８によって実現される機能の詳細は後述する。
【００１７】
ディスプレイ１０は、例えばＬＣＤ（Liquid Crystal Display）から構成されており、ＥＣＵ８から送られてくる表示データにしたがって、地図、最適経路、自車マーク、交差点案内メッセージ、メニュー画面などを表示する。スピーカ１１は、ＥＣＵ８から送られてくる音声データにしたがって、ディスプレイ１０に表示されるメッセージまたは該メッセージに関連するメッセージを音声で出力する。
【００１８】
次に、ＥＣＵ８によって実現される機能の詳細を説明する。図２は、ＥＣＵ８の機能的な構成を示すブロック図である。このＥＣＵ８は、マイクロコンピュータのソフトウェア処理によって実現された地図情報取得部２１、位置検出部２２、通信部２３、情報判断部２４、感染情報表示部２５、地図表示部２６、感染注意案内部２７、案内部２８、感染地域探索部２９、探索部３０、感染情報検索部３１および検索部３２を備えている。
【００１９】
地図情報取得部２１は、ドライブ１に装着された記録媒体１ａからインタフェース回路７を介して地図データを取得する。この地図情報取得部２１で取得された地図データは、位置検出部２２、感染情報表示部２５、地図表示部２６、感染注意案内部２７、案内部２８、感染地域探索部２９、探索部３０、感染情報検索部３１および検索部３２に送られる。
【００２０】
位置検出部２２は、地図情報取得部２１から送られてくる地図データ、ＧＰＳ受信機２からインタフェース回路７を介して送られてくる現在位置データ、ジャイロ３からインタフェース回路７を介して送られてくる角速度データおよび車速センサ４からインタフェース回路７を介して送られてくる速度データに基づき現在位置を検出する。この位置検出部２２で検出された現在位置は、現在位置データとして地図表示部２６、案内部２８、探索部３０および検索部３２に送られる。
【００２１】
通信部２３は、サーバ４０（詳細は後述する）から通信機器６およびインタフェース回路７を介して送られてくる通信データを受け取って情報判断部２４に送る。この通信部２３は、この発明の受信部に対応する。
【００２２】
情報判断部２４は、通信部２３から送られてくる通信データによって示される感染情報の有無および注意レベル（生命へのリスクおよび感染力）に基づき、表示動作が必要か否か、案内動作が必要か否か、探索動作が必要か否か、および、検索動作が必要か否かを判断する。この情報判断部２４において、表示動作が必要であることが判断された場合はその旨が感染情報表示部２５に通知され、案内動作が必要であることが判断された場合はその旨が感染注意案内部２７に通知され、探索動作が必要であることが判断された場合はその旨が感染地域探索部２９に通知され、検索動作が必要であることが判断された場合はその旨が感染情報検索部３１に通知される。
【００２３】
感染情報表示部２５は、情報判断部２４から表示動作が必要である旨が通知された場合に、地図情報取得部２１から送られてくる地図データに基づいて、感染に関わる地点または地域を表示するための表示データを生成してディスプレイ１０に送る。ここで、「感染に関わる地点」は、実際に感染が発生している施設、当該感染病を扱う医療機関、空港、港または病院といった感染要注意施設、休業／閉鎖した施設、検問箇所、マスクなどの医療器具が入手できる施設などを含む。これにより、ディスプレイ１０の画面上に感染に関わる地点または地域が表示される。
【００２４】
または、感染情報表示部２５は、情報判断部２４から表示動作が必要である旨が通知された場合に、感染に関わる地点または地域を地図に重畳して表示させるために、地図情報取得部２１から送られてくる地図データに基づいて感染に関わる地点または地域の地図を生成し、または、テロップなどのメッセージを生成して地図表示部２６に送る。これにより、ディスプレイ１０の画面に表示されている地図上に、感染に関わる地点または地域の地図またはテロップなどのメッセージが重畳して表示される。
【００２５】
地図表示部２６は、地図情報取得部２１から送られてくる地図データに基づき、位置検出部２２から送られてくる現在位置データによって示される現在位置の周辺の地図を表示するための表示データを生成し、ディスプレイ１０に送る。これにより、ディスプレイ１０の画面上に自車の周辺の地図が表示される。
【００２６】
また、地図表示部２６は、感染情報表示部２５から送られてくる地図またはメッセージを、現在表示中の地図上に重畳表示させる表示データを生成し、ディスプレイ１０に送る。これにより、ディスプレイ１０の画面上に、感染に関わる地点または地域の地図とともにテロップなどのメッセージが表示される。
【００２７】
感染注意案内部２７は、情報判断部２４から案内動作が必要である旨が通知された場合に、地図情報取得部２１から送られてくる地図データに基づいて、感染に関わる地点または地域を音声またはテロップなどのメッセージ表示で知らせるための感染注意案内データを生成し、案内部２８に送る。
【００２８】
案内部２８は、地図情報取得部２１から送られてくる地図データと位置検出部２２から送られてくる現在位置データとに基づき、誘導案内を行うための案内データを生成する。この案内部２８で生成された案内データは、表示データに変換されてディスプレイ１０に送られるとともに、音声データに変換されてスピーカ１１に送られる。
【００２９】
また、案内部２８は、感染注意案内部２７から感染注意案内データが送られてきた場合に、該感染注意案内データによって示される地点または地域を示す表示データを生成してディスプレイ１０に送るとともに、音声データを生成してスピーカ１１に送る。これにより、ディスプレイ１０の画面上に、感染に関わる地点または地域を知らせるテロップなどのメッセージが表示されるとともに、スピーカ１１からメッセージが音声によって出力される。
【００３０】
感染地域探索部２９は、情報判断部２４から探索動作が必要である旨が通知された場合に、地図情報取得部２１から送られてくる地図データに基づいて、感染に関わる地点または地域を通過する経路であるか否かを判定し、感染に関わる地点または地域を通過する経路である場合は、その地点または地域を回避する経路（以下、「回避経路」という）を探索する。この感染地域探索部２９で探索された回避経路は、回避経路データとして探索部３０に送られる。
【００３１】
探索部３０は、地図情報取得部２１から送られてくる地図データに基づき、位置検出部２２から送られてくる現在位置データによって示される現在位置から、操作部５からインタフェース回路７を介して送られてくる操作データによって示される目的地までの経路を探索する。この探索部３０で探索することにより得られた経路データは、表示データとしてディスプレイ１０に送られる。これにより、ディスプレイ１０の画面上に探索された最適経路が表示される。
【００３２】
また、探索部３０は、感染地域探索部２９から回避経路データが送られてきた場合に、該回避経路データによって示される回避経路を示すデータを生成し、表示データとしてディスプレイ１０に送る。これにより、ディスプレイ１０の画面上に、感染に関わる地点または地域を回避する回避経路が表示される。
【００３３】
感染情報検索部３１は、情報判断部２４から検索動作が必要である旨が通知された場合に、地図情報取得部２１から送られてくる地図データに基づいて、感染に関わる地点または地域を検索する。この感染情報検索部３１で検索された感染に関わる地点または地域は、感染場所データとして検索部３２に送られる。
【００３４】
検索部３２は、操作部５からインタフェース回路７を介して送られてくる操作データによって示される施設、地点または地域などを、地図情報取得部２１から送られてくる地図データに基づき検索する。この検索部３２で探索することにより得られた施設、地点または地域を表すデータは、表示データとしてディスプレイ１０に送られる。これにより、ディスプレイ１０の画面上に探索された施設、地点または地域などが表示される。
【００３５】
また、検索部３２は、感染情報検索部３１から感染場所データが送られてきた場合に、該感染場所データによって示される施設、地点または地域などを示すデータを生成し、表示データとしてディスプレイ１０に送る。これにより、ディスプレイ１０の画面上に、感染に関わる施設、地点または地域が表示される。
【００３６】
次に、サーバ４０の詳細を説明する。サーバ４０は、感染情報編集部４１、予測部４２および通信部４３を備えている。
【００３７】
感染情報編集部４１は、感染病の種類、感染地域、感染地点または関連施設などといった感染に関わる情報を逐次入手して編集する。この感染情報編集部４１で編集された感染に関わる情報は、予測部４２および通信部４３に送られる。
【００３８】
予測部４２は、感染情報編集部４１から送られてくる感染に関わる情報に基づき、感染地点または感染地域を予測する。この予測部４２で予測された感染地点または感染地域は、感染予測地点および感染予測地域として通信部４３に送られる。
【００３９】
通信部４３は、感染情報編集部４１から送られてくる感染に関わる情報と、予測部４２から送られてくる感染予測地点および感染予測地域とを、感染情報として移動体用ナビゲーション装置に送信する。この通信部４３は、この発明の送信部に対応する。
【００４０】
図３は、サーバ４０から移動体用ナビゲーション装置に送信される通信データの例を示す。この通信データは、新型インフルエンザまたはＯ−１５７などといった感染病の種類毎に、感染地域および感染予測地域とその詳細情報、感染地点および感染予測地点とその詳細情報、ならびに、関連施設情報とその詳細情報から構成されている。
【００４１】
次に、上記のように構成される、この発明の実施の形態１に係る移動体用ナビゲーション装置の動作を、図４に示すフローチャートを参照しながら説明する。
【００４２】
移動体用ナビゲーション装置の動作が開始されると、まず、感染情報があるかどうかが調べられる（ステップＳＴ１１）。すなわち、情報判断部２４は、通信部２３から送られてくる通信データを参照し、感染情報が有るかどうかを調べる。このステップＳＴ１１において、感染情報がないことが判断されると、このステップＳＴ１１を繰り返し実行しながら待機する。
【００４３】
このステップＳＴ１１の繰り返し実行による待機状態において、感染情報があることが判断されると、次いで、表示動作が必要であるかどうかが調べられる（ステップＳＴ１２）。すなわち、情報判断部２４は、通信部２３から送られてくる通信データに含まれる感染情報の注意レベルを参照し、表示動作が必要か否かを調べる。より詳しくは、例えば図５に示すように、生命へのリスクが「小」、「中」および「大」の３レベルで定義され、感染力が「小」、「中」および「大」の３レベルで定義されている場合に、生命へのリスクおよび感染力が双方とも「小」以外の場合は、情報判断部２４は、表示動作が必要であると判断する。このステップＳＴ１２において、表示動作が必要でないことが判断されると、シーケンスはステップＳＴ１４に進む。
【００４４】
一方、ステップＳＴ１２において、表示動作が必要であることが判断されると、表示処理が実行される（ステップＳＴ１３）。すなわち、感染情報表示部２５は、地図情報取得部２１から送られてくる地図データに基づいて、感染に関わる地点または地域を表示するための地図およびテロップなどのメッセージを生成して地図表示部２６に送る。地図表示部２６は、感染情報表示部２５から送られてくる地図およびメッセージを、現在表示中の地図上に重畳表示させる表示データを生成し、ディスプレイ１０に送る。これにより、ディスプレイ１０の画面上に、感染に関わる地点または地域の地図とともにテロップなどのメッセージが表示される。その後、処理は終了する。
【００４５】
図６は、感染地域が地図上に表示された例を示す。この例では、地図上の感染地域とその周りの感染予測地域が表示されるとともに、「感染地域に近づかないでください」というテロップ表示がなされている。なお、注意レベル（生命へのリスクおよび感染力）に応じて、感染地域とその周りの感染予測地域の色を変更し、また、テロップ表示の表現を変更するように構成することもできる。
【００４６】
図７は、感染施設（感染地点）が地図上に表示された例を示す。この例では、地図上の感染施設、感染要注意施設、休業／閉鎖施設、検問箇所、当該感染病を扱う医療機関および医療器具の入手可能な施設などが表示されるとともに、「感染施設に近づかないでください」というテロップ表示がなされている。なお、注意レベル（生命へのリスクおよび感染力）に応じて、各施設のアイコンの色を変更し、また、テロップ表示の表現を変更するように構成することもできる。
【００４７】
ステップＳＴ１４においては、案内動作が必要であるかどうかが調べられる。すなわち、情報判断部２４は、通信部２３から送られてくる通信データに含まれる感染情報の注意レベルを参照し、案内動作が必要か否かを調べる。より詳しくは、例えば図５に示すように、生命へのリスクおよび感染力が定義されている場合に、生命へのリスクが「小」かつ感染力が「大」である場合または生命へのリスクが「中」または「大」である場合は、案内動作が必要であると判断される。このステップＳＴ１４において、案内動作が必要でないことが判断されると、シーケンスはステップＳＴ１６に進む。
【００４８】
一方、ステップＳＴ１４において、案内動作が必要であることが判断されると、案内処理が実行される（ステップＳＴ１５）。すなわち、感染注意案内部２７は、地図情報取得部２１から送られてくる地図データに基づいて、感染に関わる地点または地域を音声またはテロップなどのメッセージで知らせるための感染注意案内データを生成し、案内部２８に送る。案内部２８は、受け取った感染注意案内データによって示される地点または地域を示す表示データを生成してディスプレイ１０に送るとともに、音声データを生成してスピーカ１１に送る。これにより、ディスプレイ１０の画面上に、感染に関わる地点または地域を知らせるテロップなどのメッセージが表示されるとともに、スピーカ１１から音声によって出力される。その後、処理は終了する。
【００４９】
図８は、感染地域を通る経路の案内例を示し、探索経路付近に感染した地点または地域がある場合に注意案内が行われる様子を示している。この例では、地図上の感染地域とその周りの感染予測地域の表示に加え、経路が表示されるとともに、「感染地域を通ります  ご注意ください」というテロップ表示および音声出力がなされている。
【００５０】
図９は、感染地域に近づいた時の案内例を示し、車両が感染した地点または地域付近、例えば１０〜２０ｋｍの範囲内に到達した場合に注意案内が行われる様子を示している。この例では、地図上の感染地域とその周りの感染予測地域の表示に加え、経路が表示されるとともに、「感染地域に近づかないでください」というテロップ表示および音声出力がなされている。
【００５１】
図１０は、自宅到着時の案内例を示し、車両が自宅に到達したことを判断した場合に感染予防案内（手洗い案内）が行われる様子を示している。この例では、地図上の感染地域とその周りの感染予測地域の表示に加え、自宅のアイコンが表示されるとともに、「自宅です  手を洗ってください」というテロップ表示および音声出力がなされている。なお、自宅到着時のみならず、例えば勤務先などといった所定地点に到着した時に感染予防案内を行うように構成することもできる。
【００５２】
図１１は、駐車時の案内例を示し、駐車する場合に注意案内（感染予防案内）が行われる様子を示している。この例では、地図上の感染地域とその周りの感染予測地域の表示に加え、駐車した旨の表示がなされるとともに、「降車時の際はマスクを着用してください」というテロップ表示および音声出力がなされている。
【００５３】
ステップＳＴ１６においては、探索動作が必要であるかどうかが調べられる。すなわち、情報判断部２４は、通信部２３から送られてくる通信データに含まれる感染情報の注意レベルを参照し、探索動作が必要か否かを調べる。より詳しくは、例えば図５に示すように、生命へのリスクおよび感染力が定義されている場合に、生命へのリスクが「大」であれば探索動作が必要であると判断される。このステップＳＴ１６において、探索動作が必要でないことが判断されると、シーケンスはステップＳＴ１８に進む。
【００５４】
一方、ステップＳＴ１６において、探索動作が必要であることが判断されると、探索処理が実行される（ステップＳＴ１７）。すなわち、感染地域探索部２９は、地図情報取得部２１から送られてくる地図データに基づいて、感染に関わる地点または地域を通過する経路であるか否かを判定し、感染に関わる地点または地域を通過する経路である場合は、その地点または地域を避けた回避経路を探索し、回避経路データとして探索部３０に送る。回避経路データを受け取った探索部３０は、該回避経路データによって示される経路を示すデータを生成し、表示データとしてディスプレイ１０に送る。これにより、ディスプレイ１０の画面上に、感染に関わる地点または地域を回避する経路が表示される。その後、処理は終了する。
【００５５】
図１２は、感染地域を回避する探索例を示す。この例では、地図上の感染地域を回避する経路が表示されるとともに、「感染地域を回避するルートを計算しました」というテロップ表示および音声出力がなされている。
【００５６】
ステップＳＴ１８においては、検索動作が必要であるかどうかが調べられる。すなわち、情報判断部２４は、通信部２３から送られてくる通信データに含まれる感染情報の注意レベルを参照し、検索動作が必要か否かを調べる。より詳しくは、例えば図５に示すように、生命へのリスクおよび感染力が定義されている場合に、生命へのリスクが「中」または「大」である場合は、検索動作が必要であると判断される。このステップＳＴ１８において、検索動作が必要でないことが判断されると、処理は終了する。
【００５７】
一方、ステップＳＴ１８において、検索動作が必要であることが判断されると、検索処理が実行される（ステップＳＴ１９）。すなわち、感染情報検索部３１は、地図情報取得部２１から送られてくる地図データに基づいて、感染に関わる施設、地点または地域を検索し、感染場所データとして検索部３２に送る。感染場所データを受け取った検索部３２は、該感染場所データによって示される施設、地点または地域などを示すデータを生成し、表示データとしてディスプレイ１０に送る。これにより、ディスプレイ１０の画面上に、感染に関わる施設、地点または地域が表示される。その後、処理は終了する。
【００５８】
図１３は、感染施設の検索の例を示す。この例では、「感染施設」ボタンが押されることにより感染施設の検索が開始される。感染施設の検索が開始されると、図１４に示すように、感染施設の一覧が表示される。この状態で、「発熱外来」ボタンが押されると、図１５に示すように、発熱外来を受け付ける施設の一覧と地図が表示される。
【００５９】
また、図１４に示す感染施設の一覧が表示された状態で、「感染要注意施設」ボタンが押されると、図１６に示すように、感染要注意施設の一覧と施設が表示される。また、図１４に示す感染施設の一覧が表示された状態で、「感染地域」ボタンが押されると、図１７に示すように、感染地域の都道府県名の一覧と地図が表示される。また、図１４に示す感染施設の一覧が表示された状態で、「感染地点」ボタンが押されると、図１８に示すように、感染地点である施設の一覧と地図が表示される。また、図１４に示す感染施設の一覧が表示された状態で、「休業／閉鎖施設」ボタンが押されると、図１９に示すように、休業または閉鎖されている施設の名称と地図が表示される。
【００６０】
また、図１４に示す感染施設の一覧が表示された状態で、「検問」ボタンが押されると、図２０に示すように、検問が行われている箇所の名称の一覧と地図が表示される。また、図１４に示す感染施設の一覧が表示された状態で、「医療器具入手可能施設」ボタンが押されると、図２１に示すように、医療器具を入手可能な施設の名称と地図が表示される。また、図１４に示す感染施設の一覧が表示された状態で、「感染情報」ボタンが押されると、図２２に示すように、感染に関する情報とその情報によって示される位置の地図が表示される。
【００６１】
以上説明したように、この発明の実施の形態１に係る移動体ナビゲーション装置によれば、サーバ４０から受信された通信データから表示、案内、探索または検索動作の要否を判断し、表示動作が必要である場合は感染に関わる地点または地域を表す地図またはメッセージを地図上に重畳して表示させ、案内動作が必要である場合は感染に関わる地点または地域を音声またはメッセージ表示で知らせ、探索動作が必要である場合は感染に関わる地点または地域を避けた経路を探索して表示させ、検索動作が必要である場合は感染に関わる地点または地域を検索して表示させるように構成したので、移動体で移動中であっても外部からの感染情報を受信し、感染に関わる地点や地域についてユーザに速やかに知らせることができる。その結果、感染予防または感染時の速やかな医療機関での受診が可能になる。
【００６２】
なお、感染情報はサーバ４０から移動体用ナビゲーション装置に無条件に通知され、移動体用ナビゲーション装置は、これを取り込むように構成することができる。また、図２３に示す画面を用いてユーザが感染情報の取り込みを指示するように構成することもできる。さらに、注意レベルが高くない場合といったように、ユーザにて感染情報を取り込むことを場合分けして確認するように構成することもできる。
【符号の説明】
【００６３】
１  ドライブ、１ａ  記録媒体、２  ＧＰＳ受信機、３  ジャイロ、４  車速センサ、５  操作部、６  通信機器（携帯電話）、７  インタフェース回路、８  ＥＣＵ、９  メモリ、１０  ディスプレイ、１１  スピーカ、２１  地図情報取得部、２２  位置検出部、２３  通信部、２４  情報判断部、２５  感染情報表示部、２６  地図表示部、２７  感染注意案内部、２８  案内部、２９  感染地域探索部、３０  探索部、３１  感染情報検索部、３２  検索部、４０  サーバ、４１  感染情報編集部、４２  予測部、４３  通信部。
【図１】
2011089921.tif 000003
【図２】
2011089921.tif 000004
【図３】
2011089921.tif 000005
【図４】
2011089921.tif 000006
【図５】
2011089921.tif 000007
【図６】
2011089921.tif 000008
【図７】
2011089921.tif 000009
【図８】
2011089921.tif 000010
【図９】
2011089921.tif 000011
【図１０】
2011089921.tif 000012
【図１１】
2011089921.tif 000013
【図１２】
2011089921.tif 000014
【図１３】
2011089921.tif 000015
【図１４】
2011089921.tif 000016
【図１５】
2011089921.tif 000017
【図１６】
2011089921.tif 000018
【図１７】
2011089921.tif 000019
【図１８】
2011089921.tif 000020
【図１９】
2011089921.tif 000021
【図２０】
2011089921.tif 000022
【図２１】
2011089921.tif 000023
【図２２】
2011089921.tif 000024
【図２３】
2011089921.tif 000025